(57)【要約】【課題】            低コストにて製造でき、且つ現場での組立て作業を省力化することができる包装箱における保冷材等の収納用のポケット構造を提供する。【解決手段】        この発明の包装箱のポケット構造は、少なくとも相対応する平行な２組の辺を備えた多角形の底板２の各辺に、折曲げ起伏可能に前後壁３ａ，３ｂ及び左右側壁４ａ，４ｂを含む周壁を連設した包装箱に関する。上記周壁の自由端に連設した天板６の側辺又は周壁の側辺に、天板６又は周壁の内側に向って折曲げ可能なフラップ１９ａ，１９ｂ，２９ａ，２９ｂを連設し、該フラップ１９ａ，１９ｂ，２９ａ，２９ｂの自由端同士を天板６又は当該周壁側と筒状体を形成するように接着して連結固定することにより、天板６又は周壁内面側に保冷材４１その他の備品を収納する筒状のポケット２４，３４を形成した。そして該ポケット２４，３４の内側の周壁に通気孔２１，３１を切欠形成した。【選択図】          図２
2005132471.tif 000002
【特許請求の範囲】
【請求項１】
少なくとも相対応する平行な２組の辺を備えた多角形の底板（２）の各辺に、折曲げ起伏可能に前後壁（３ａ），（３ｂ）及び左右側壁（４ａ），（４ｂ）を含む周壁を連設した包装箱において、上記周壁の自由端に連設した天板（６）の側辺又は周壁の側辺に、天板（６）又は周壁の内側に向って折曲げ可能なフラップ（１９ａ），（１９ｂ），（２９ａ），（２９ｂ）を連設し、該フラップ（１９ａ），（１９ｂ），（２９ａ），（２９ｂ）の自由端を天板（６）又は当該周壁側と筒状体を形成するように連結固定することにより、天板（６）又は周壁内面側に保冷材（４１）その他の備品を収納する筒状のポケット（２４），（３４）を形成してなる包装箱のポケット構造。
【請求項２】
ポケット（２４），（３４）の内側の周壁に通気孔（２１），（３１）を形成した請求項１の包装箱のポケット構造。
【請求項３】
フラップ（１９ａ），（１９ｂ），（２９ａ），（２９ｂ）を天板（６）又は周壁の両側辺に連設し、両フラップ（１９ａ），（１９ｂ），（２９ａ），（２９ｂ）の自由端同士を接着固定して連結した請求項１又は２の包装箱のポケット構造。
【請求項４】
フラップ（２９ａ），（２９ｂ）を起伏開閉可能な周壁の側辺に設け、フラップ（２９ａ）に押出孔（３６）を形成し、前記起伏開閉可能な周壁に形成された係止片（１８）の外れを容易にした請求項１，２又は３の包装箱のポケット構造。
【発明の詳細な説明】
【技術分野】
【０００１】
この発明はケーキ等の収納物を収納する包装箱に関し、特に保冷材やローソク，表示プレートその他の付属品等を収納する包装箱のポケット構造に関する。
【背景技術】
【０００２】
従来の保冷材等を収納する包装箱のポケット構造としては、左右の前フラップの延長上に帯状片３０，３１を折曲げ可能に連設し、該帯状片３０，３１を両側から差し渡し、２箇所で差込んで収納部を形成する包装箱（特許文献１の第１実施例参照）、上部に開口部を設けた保冷材収納部を備えた一体の紙からなる包装箱（特許文献１の第２実施例参照）、側壁上縁に保冷材収納板を形成し、該収納板の自由端に把手を起立状態で係止固定する係止片を連設し、該係止片を差込口から引き出す構造とした保冷材収納部を備えた紙箱（特許文献２参照）等が公知である。
【特許文献１】登録実用新案第３０７５５２５号公報（図３，図１０）
【特許文献２】登録実用新案第３０４７５７９号公報（図３）
【発明の開示】
【発明が解決しようとする課題】
【０００３】
しかし、上記従来の公知技術は、一体の紙にて保冷材等の収納部を形成するという点では共通するものの、上記すべての公知技術において、保冷材等の収納部の使用不使用にかかわらず、収納スペースが必ず形成されるという問題があり、保冷材の使用不使用によって２種類の包装箱を店頭等の現場で用意しなければならず、コスト高となっていた。
【０００４】
特許文献１の図１〜６に示される第１実施例では、帯状片３０に形成された折目３６，３７，３８，３９の折曲げ作業が複雑であるとともに、該帯状片３０，３１に形成された切込み３２，３４，３３，３５による係止作業が、帯状片３０，３１を両側から差し渡し、２箇所で差込んで係止しなければならず、店頭等の現場作業が煩雑になるという問題があった。また特許文献１の図７〜１３に示される第２実施例では、図７の展開図に示すように、僅かに余分な紙が必要となりコスト高になるほか、把手（取出片７０，７１）の係合片６０，６１の切り抜き孔が保冷材等の出し入れ口となるので、長さや幅のある収納物の出し入れが困難であった。
【０００５】
さらに特許文献２では、側壁上縁と係止片３８，３９の間に保冷材収納板３６，３７を設けたので、保冷材収納部に十分な収納スペースを確保するためには、天板部４８，４９及び底板部５６，５７の幅を広く取る必要があり、多くの紙を必要としコスト高になっていた。その他、複数の折目を介して内側に折り返し差込口から係止片を引き出す構造であるので、店頭等での現場作業が煩雑になるという問題があった。
この発明は、これらの課題を解決又は改善しようとするものである。
【課題を解決するための手段】
【０００６】
上記課題を解決するための本発明の包装箱のポケット構造は、第１に、少なくとも相対応する平行な２組の辺を備えた多角形の底板２の各辺に、折曲げ起伏可能に前後壁３ａ，３ｂ及び左右側壁４ａ，４ｂを含む周壁を連設した包装箱において、上記周壁の自由端に連設した天板６の側辺又は周壁の側辺に、天板６又は周壁の内側に向って折曲げ可能なフラップ１９ａ，１９ｂ，２９ａ，２９ｂを連設し、該フラップ１９ａ，１９ｂ，２９ａ，２９ｂの自由端を天板６又は当該周壁側と筒状体を形成するように連結固定することにより、天板６又は周壁内面側に保冷材４１その他の備品を収納する筒状のポケット２４，３４を形成してなることを特徴としている。
【０００７】
第２に、ポケット２４，３４の内側の周壁に通気孔２１，３１を形成したことを特徴としている。
【０００８】
第３に、フラップ１９ａ，１９ｂ，２９ａ，２９ｂを天板６又は周壁の両側辺に連設し、両フラップ１９ａ，１９ｂ，２９ａ，２９ｂの自由端同士を接着固定して連結したことを特徴としている。
【０００９】
第４に、フラップ２９ａ，２９ｂを起伏開閉可能な周壁の側辺に設け、フラップ２９ａに押出孔３６を形成し、前記起伏開閉可能な周壁に形成された係止片１８の外れを容易にしたことを特徴としている。
【発明の効果】
【００１０】
以上の如く構成される本発明の包装箱のポケット構造によれば、以下に示すような効果を奏するものである。
（１）天板又は周壁の側辺に余白部分を有効利用したフラップを筒状に連設して収納用のポケットを形成したので、紙の材料コストを変えずに、また別の部品を別工程にて接着する必要がないので、切断から糊付け，出荷に至るまで一工程にて製造することができ、従来品と略同一の製造コストで生産することができる。さらに収納用のポケットは出荷時に形成することにより、店頭等の現場では包装箱の組立作業のみで良く、作業性を向上させることができる。
【００１１】
（２）天板又は周壁の両側辺からフラップを内側に折返して収納用のポケットを形成する構成としたので、天板又は周壁の２重化によって断熱効果が高くなると同時に、平面としての強度が増し、箱組み後の積み重ね等の取扱いが容易になるほか、天板又は周壁の側辺に切断面が現れないので、包装箱の組立後の見栄えを向上させることができる。
【００１２】
（３）天板又は周壁の内側に保冷材等の収納用のポケットを形成するので、箱サイズを大きくする必要がなく、現行のケーキ用トレーもそのまま利用することができる。また筒状のポケットとしているので、保冷材その他の備品の出し入れが容易であるとともに、ポケットの内側に冷気の抜け道として通気孔を設けることにより、冷気を包装箱内に十分に行き渡らせることができる。
【００１３】
（４）周壁内面側にポケットを設けた構成では、周壁の両側辺より折返したフラップに押出孔を形成することにより係止片の外れを容易にした。
【００１４】
（５）天板内面側に保冷材等の収納用のポケットを設けた構成では、冷気は一般的には底板方向に下降する性質があるので、ケーキ等の内容物に対する冷却効果が上げることができる。
【発明を実施するための最良の形態】
【００１５】
以下本発明の実施形態を図面に基づき説明する。図１は本包装箱の箱組み完成状態を示す斜視図，図２は開蓋状態示す斜視図、図３は展開図である。
【００１６】
包装箱１は、正方形又は長方形の底板２に対して、周壁として前後壁３ａ，３ｂ及び左右側壁４ａ，４ｂが折曲げ起伏可能に連設されており、後壁３ｂの延長上には天板６を介して中央に一対の八字形の係止孔７を備えた蓋フラップ８が折り曲げ可能に連設されている。そして後壁３ｂの左右両端には、前方下端に係止爪９を備えた内側壁１１が折り曲げ可能に連設され、前壁３ａと左右側壁４ａ，４ｂの上端には、包装箱１の内側に向ってアングル状に折り曲げられ、天板６を支受する上部フラップ１２ａ，１２ｂが折り曲げ可能に連設され、蓋受け用周縁部を形成している。
【００１７】
左右側壁４ａ，４ｂの前端には前フラップ１３が折り曲げ可能に連設され、該前フラップ１３の連設基端部の上端には係止爪１４が突出形成されている。そして上部フラップ１２ａの連設基端部の左右両端には切込み１６が形成され、前記係止爪１４と切込み１６とで前壁３ａを係止固定し、前壁３ａの起立を保持する構造となっている。また前壁３ａには、左右両端に差込部１７を備えた係止片１８が形成され、該差込部１７が上記蓋フラップ８に形成された係止孔７に挿入され、天板６及び蓋フラップ８を係止固定する構造となっている
【００１８】
天板６の左右両端には左右フラップ１９ａ，１９ｂが折り曲げ可能に連設され、該フラップ１９ａには通気孔２１が切欠形成されている。そして左右フラップ１９ａ，１９ｂを天板６の内側に折返すとともに、左右フラップ１９ａ，１９ｂの自由端に形成された接着代２２ａ，２２ｂを接着し、左フラップ１９ａ及び天板６の後方に形成された接着代２３ａ，２３ｂを接着固定し、箱組み状態において前方に保冷材４１の出し入れ口を備えたポケット２４を形成している。
【００１９】
また図３の内面展開図において、左右側壁４ａ，４ｂの内側及び内側壁１１の裏側には接着代２６ａ，２６ｂがそれぞれ形成され、左右側壁４ａ，４ｂには後方の底部コーナーより上部フラップ１２ｂの左右前端に至る折目２７（外側において谷線）が形成されている。さらに底板２と左右側壁４ａ，４ｂとを連設する折目の中央には、上記内側壁１１に形成された係止爪９が嵌合する係止孔２８が切欠形成されている。
【００２０】
上記構成による本包装箱１は、左右側壁４ａ，４ｂの接着代２６ａを内側壁１１の接着代２６ｂに接着固定するとともに、上述のように接着代２３ａ，２３ｂ及び接着代２２ａ，２２ｂをそれぞれ接着固定し、筒状のポケット２４を形成する。そして折目２７を介して底板２，前壁３ａ，上部フラップ１２ａ上に、左右側壁４ａ，４ｂ，上部フラップ１２ｂ，前フラップ１３，内側壁１１，天板６，ポケット２４，蓋フラップ８を折畳み重ね合わせた状態から（図示しない）、左右側壁４ａ，４ｂ及び上部フラップ１２ｂを起立方向に回動させる。内側壁１１は左右側壁４ａ，４ｂと接着固定されているので、左右側壁４ａ，４ｂの起立に連動して起立すると同時に、係止爪９を係止孔２８に嵌合させて、左右側壁４ａ，４ｂの起立を保持する。
【００２１】
さらに図２に示すように、内側壁１１の起立に伴って連設した後壁３ｂの起立状態において、ケーキ等の内容物を現行のケーキ用のトレーとともに前方から挿入し底板２上に載置し、図２の矢印方向から保冷材４１をポケット２４に挿入する。そして前フラップ１３を内側にアングル上に折曲げるとともに、前壁３ａを起立させ、上部フラップ１２ａを内側にアングル上に折曲げて、該上部フラップ１２ａの連設基端部の両端に形成された切込み１６に係止爪１４を嵌合し係止固定させて前壁３ａの起立を保持する。さらに上部フラップ１２ｂを内側にアングル上に折曲げ、前記上部フラップ１２ａとで蓋受け用周縁部を形成しポケット２４を備えた天板６を支受し、蓋フラップ８の係止孔７に前壁３ａに形成された係止片１８の差込部１７を挿入し係止固定し、包装箱１の箱組みを完成させる。
【００２２】
次に第２実施形態である包装箱１´について説明する。図４，５に示すように前壁３ａの左右両端には左右フラップ２９ａ，２９ｂが折り曲げ可能に連設され、該左フラップ２９ａには通気孔３１が切欠形成されている。そして左右フラップ２９ａ，２９ｂを前壁３ａの内側に折返すとともに、左右フラップ２９ａ，２９ｂの自由端に形成された接着代３２ａ，３２ｂを接着固定し筒状のポケット３４を形成している。ただし保冷材４１は、図４の矢印方向からポケット３４に挿入する。また左フラップ２９ａには箱組みの際に係止片１８を前壁３ａの外側に押出すための押出孔３６が切欠形成されている。なおこの例では、ポケット３４に保冷材等の備品を収納した際に、備品が底板２に当接しケーキ等の内容物を損傷させることがないので、ポケット３４の下方を接着固定しない構成となっている。ただしその他の構成は第１実施形態である包装箱１と共通のために説明を省略する。
【００２３】
以上のように構成される本発明の包装箱のポケット構造は、底板が正方形や長方形の箱体だけでなく、六角形等の各種多角形の包装箱の天板又は揺動周壁の内側に保冷材その他の備品を収納する筒状のポケットを形成することもできる。
【図面の簡単な説明】
【００２４】
【図１】本包装箱の箱組み状態を示す斜視図である。
【図２】本包装箱の開蓋状態を示す斜視図である。
【図３】本包装箱の内面展開図である。
【図４】本包装箱の第２実施形態の開蓋状態を示す斜視図である。
【図５】本包装箱の第２実施形態の内面展開図である。
【符号の説明】
【００２５】
１      包装箱
２      底板
３ａ    前壁
３ｂ    後壁
４ａ    左側壁
４ｂ    右側壁
６      天板
１８    係止片
１９ａ  フラップ
１９ｂ  フラップ
２１    通気孔
２４    ポケット
２９ａ  フラップ
２９ｂ  フラップ
３１    通気孔
３４    ポケット
３６    押出孔
４１    保冷材
【図１】
2005132471.tif 000003
【図２】
2005132471.tif 000004
【図３】
2005132471.tif 000005
【図４】
2005132471.tif 000006
【図５】
2005132471.tif 000007